(57)【要約】【課題】  寒冷地において、施設間を転移して、理容業務を実施するために、安全で、確実に、かつ、経済的に凍結防止対策を施した理容用車輌を提供することを課題とする。【解決手段】  給排水タンク室７とポンプ室１０は、凍結防止用パネルヒータ７ａ、１０ｂと、を有し、かつ、室内の内面を断熱材７ｂ、１０ｃで張設し、配管と、配管継手類とには、凍結防止用コイルヒータを捲回して、凍結防止対策を施してあるので、寒冷地、寒冷期においても凍結しない。また、水抜き栓と排水栓との各々を順次に開く水抜き手段と、前記水抜き手段によって水抜き作業を進めたときに、順次に点灯する機能を有する監視パネル１１によって、水抜き作業を確認する確認手段を具備したために、水抜き作業が完全に行える。前記監視パネルは、水抜き操作手順を監視するだけでなく、手順を誤れば、監視システムは中断するので、安全に水抜き作業が行える。従って寒冷地においても凍結しない。【選択図】  図３
2005075325.tif 000002
【特許請求の範囲】
【請求項１】
給水タンクと、排水タンクと、凍結防止用パネルヒータと、を備え、かつ、内面が断熱材で張設された給排水タンク室と、ガスボンベ室と、を車体の床下部に装備し、揚水ポンプと、凍結防止用パネルヒータと、を備え、かつ、内面が断熱材で張設されたポンプ室と、給湯器と、流し台と、洗面台と、監視パネルと、理容設備と、を車体の床上部に装備し、前記給水タンクと、前記排水タンクと、前記揚水ポンプと、前記給湯器と、前記流し台と、前記洗面台と、は凍結防止用コイルヒータを捲回した、配管及び配管継手類で連結してなる車輌であって、
前記給排水タンク室と、前記ポンプ室と、を前記凍結防止用パネルヒータの各々により保温し、配管及び配管継手類を前記凍結防止用コイルヒータにより保温するための保温手段と、
理容業務終了時に、前記排水タンクと、前記給水タンクと、前記揚水ポンプと、前記給湯器と、前記流し台と、前記洗面台と、から順次に水抜きを行う水抜き手段と、
前記水抜き手段によって水抜き作業が完了したときに順次に点灯する機能を有する監視パネルによって確認する確認手段と、
を具備した、寒冷地向けの理容用車輌。
【請求項２】
底部に排水栓を有する前記排水タンクと、底部に水抜き栓を有する前記給水タンクと、底部に水抜き栓を有する前記ポンプ室と、底部に水抜き栓を有する前記給湯器と、上部に給水栓及び給湯栓を有する前記流し台と、上部に給湯栓を有する前記洗面台と、を備えてなる前記車輌であって、
前記排水タンクの排水栓と、前記給水タンクの水抜き栓と、前記揚水ポンプの水抜き栓と、を順次に開き、次に前記揚水ポンプの水抜き栓を閉じ、前記流し台の給水栓及び給湯栓と、前記洗面台の給湯栓と、給湯器の水抜き栓と、を順次に開く水抜き手段を有することを特徴としている請求項１に記載の寒冷地向けの理容用車輌。
【請求項３】
パネル表面上に、給水タンクと、排水タンクと、揚水ポンプと、給湯器と、流し台と、洗面台と、ガスボンベ室と、配管と、よりなる図柄及び青ランプと、メインスイッチと、を備え、パネル裏面に、前記図柄に対応し、かつ、裏面から照明可能の照明器具と、前記照明器具の点滅を制御する電気回路部と、を備えてなる前記監視パネルであって、
前記水抜き手段を実行したときに、前記図柄に対応する照明器具が順次点灯することを特徴とする機能を有する請求項１に記載の寒冷地向けの理容用車輌。
【発明の詳細な説明】
【発明の詳細な説明】
【技術分野】
【０００１】  本発明は、寒冷地向けの理容用車輌に関する。寒冷地において、施設間を転移して、理容業務の実施を目的とし、凍結防止対策を施した理容用車輌に関するものである。
【背景技術】
【０００２】  バス等の車体を利用した移動式美容院は、多数提案されている。例えば、実用新案出願公告平２−３０３６８号は、バスのような自動車に、美容のための設備を備えた移動美容院車であり、実用新案登録第２６０３７１４号は、車体の一部に美容院の設備を備えた移動美容院車である。しかし、いずれも理容室ではなく、移動式の美容院であり、また、寒冷地の使用に耐えるものとはなっていない。【０００３】  また、特許公開番号平７−２６６９７６号、特許公開番号平１１−１８０２０７号、特許公開番号２０００−６２５１９号はいずれも理美容車であって、理容専用ではなく、また、寒冷地の使用に耐えるものとはなっていない。特許公開番号平１−１９０５５５号は、理髪用の自動車であり、特許公開番号平４−５９４４４号は、移動式理容室であり、いずれも理容を専用としているが、寒冷地の使用に耐えるものとはなっていない。
【発明が解決しようとする課題】
【０００４】  一般に、理容作業は、準備に時間を要する。移動式の理容室の場合は、固定式の理容室に比して、移動のために特別な準備を必要とする。通常業務のための準備作業のほか、給水、排水の付加作業が必要とされる。特に、寒冷地において、理容作業終了後車輌係留地に帰還後の作業は、多くの操作を必要としている。しかも、操作手順を誤れば、搭載機器や配管が凍結するおそれがある。搭載機器や配管内に滞留している水を放置すると、この水の凍結によって、搭載機器の損傷や配管の破裂等が生ずる。凍結予防としては、（イ）配管系の保温、加熱や、（ロ）搭載機器や配管から確実に水抜き、の手段がとられる。しかし、水抜き操作は複雑であり、都度開栓作業は厄介であり、常時加熱は不経済である。また、ガスを使用しているので、うっかりミスによる事故発生を未然に防ぐ必要がある。本発明は、寒冷地において、施設間を転移して、理容業務の実施を目的とする、安全で、確実に、かつ、経済的に凍結防止対策を施した理容用車輌を提供することを課題とする。
【課題を解決するための手段】
【０００５】  請求項１に記載の発明は、給水タンクと、排水タンクと、凍結防止用パネルヒータと、を備え、かつ、内面が断熱材で張設された給排水タンク室と、ガスボンベ室と、を車体の床下部に装備し、揚水ポンプと、凍結防止用パネルヒータと、を備え、かつ、内面が断熱材で張設されたポンプ室と、給湯器と、流し台と、洗面台と、監視パネルと、理容設備と、を車体の床上部に装備し、前記給水タンクと、前記排水タンクと、前記揚水ポンプと、前記給湯器と、前記流し台と、前記洗面台と、は凍結防止用コイルヒータを捲回した、配管および配管継手類で連結してなる寒冷地向けの理容用車輌であって、前記給排水タンク室と、前記ポンプ室と、を前記凍結防止用パネルヒータの各々により保温し、配管及び配管継手類を前記凍結防止用コイルヒータにより保温するための保温手段と、理容業務終了時に、前記排水タンクと、前記給水タンクと、前記揚水ポンプと、前記給湯器と、前記流し台と、前記洗面台と、から順次に水抜きを行う水抜き手段と、前記水抜き手段によって水抜き作業が完了したときに順次に点灯する機能を有する監視パネルによって確認する確認手段と、を具備していることを特徴としている。
【０００６】  請求項２に記載の発明は、底部に排水栓を有する前記排水タンクと、底部に水抜き栓を有する前記給水タンクと、底部に水抜き栓を有する前記ポンプ室と、底部に水抜き栓を有する前記給湯器と、上部に給水栓及び給湯栓を有する前記流し台と、上部に給湯栓を有する前記洗面台と、を備えてなる前記車輌であって、前記排水タンクの排水栓と、前記給水タンクの水抜き栓と、前記揚水ポンプの水抜き栓と、を順次に開き、次に前記揚水ポンプの水抜き栓を閉じ、前記流し台の給水栓および給湯栓と、前記洗面台の給湯栓と、給湯器の水抜き栓と、を順次に開く水抜き手段を有することを特徴としている。
【０００７】  請求項３に記載の発明は、パネル表面上に、給水タンクと、排水タンクと、揚水ポンプと、給湯器と、流し台と、洗面台と、ガスボンベ室と、配管と、よりなる図柄及び青ランプと、メインスイッチと、を備え、パネル裏面に、前記図柄に対応し、かつ、裏面から照明可能の照明器具と、前記照明器具を制御する電気回路部と、を備えてなる前記監視パネルであって、前記水抜き手段を実行したときに、前記図柄に対応する照明器具が順次点灯する機能を有することを特徴としている。
【発明を実施するための最良の形態】
【０００８】  図１は、車体内における理容業務に必要な器材の配置を示す平面説明図であり、図２は、車体内における理容業務用の主要設備の配置を示す断面説明図である。給排水タンク室と、ポンプ室を断熱材で保温し、かつ凍結防止用パネルヒータで保温し、配管と配管継手類を、凍結防止用コイルヒータで保温し、監視パネルで水抜き作業を確認する手段で寒冷地向けの理容用車輌を実現した。
【実施例】
【０００９】  車体１の床下部には、給排水タンク室７とガスボンベ室６と発電機４２とガソリンタンク４３とを配設する。車体１の床上部には、２台の洗面台５と給湯器３と流し台４とポンプ室１０との設備のほか、２台の理容椅子２、消毒器２１、タオル蒸し器２２、化粧品ケース２３、戸棚２４、お客待室２５、会計機２６などの理容設備を配設し、車体１内前部には監視パネル１１を設置し、車体１内後部には、給水予備タンク４１を配設する。車体１は、バス車体を用い、電源コンセント１ｂと、給水口１ｃのほか、運転席３１と補助席３２と客用出入り口３３と非常口３４と３個所の換気口３５と消火器３６とを有する。【００１０】  図３は、理容業務用の主要設備と配管と配線の状況の説明図である。図３によって、主要設備の内容について説明する。車体１の床下部は、車体１の床１ａの下部であって、給排水タンク室７と、ガスボンベ室６と、を装備する。前記給排水タンク室７は、室内に給水タンク８と排水タンク９と凍結防止用パネルヒータ７ａとを有し、前記給排水タンク室７の室内の内面は、厚さ５ｃｍ以上の発泡スチロール製断熱材７ｂで張設される。前記給水タンク８は、前面部に水量ゲージ８ｂと、上面部に給水受け口８ｄと、底部に給水口８ｅと水抜き栓８ａとを備える。前記排水タンク９は、上面部に排水受け口９ｂと底部に排水栓９ａとを備える。前記ガスボンベ室６は、２本のガスボンベ６ａを収納し、ガス栓６ｂを備える。車体１の床上部は、車体１の床１ａの上部であって、ポンプ室１０と、給湯器３と、流し台４と、２台の洗面台５と、監視パネル１１と、理容設備を装備する。前記ポンプ室１０は、室内に揚水ポンプ１０ａと凍結防止用パネルヒータ１０ｂとを有し、前記ポンプ室１０の室内の内面は、厚さ５ｃｍ以上の発泡スチロール製断熱材１０ｃで張設される。前記揚水ポンプ１０ａは、側面部に給水吐出口１０ｇと、給水受け口１０ｆと、底部に水抜き栓１０ｅと、を備える。前記給湯器３は、前面部に点火栓３ｃと、底部に水抜き栓３ｂと給水受け口３ｄと温水吐出口３ｅとを備える。前記流し台４は、上部に給水栓４ｂと給湯栓４ａを配置する。前記洗面台５は、上部に給湯栓５ａを配置する。前記洗面台５は、ユニット式であって、鏡と洗面器とシャワー栓とよりなる。本明細書では、シャワー栓を給湯栓５ａと表示している。前記電源コンセント１ｂは、外部電源と接続するためのものである。給水口１ｃは、外部から給水を受けるための受水口である。【００１１】  図３によって、配管の連結状況と保温対策を説明する。給水口１ｃから給水タンク８の給水受け口８ｄまでは、給水配管１ｄで連結し、給水タンク８の給水口８ｅから揚水ポンプ１０ａの給水受け口１０ｆまでは、給水配管８ｃで連結し、揚水ポンプ１０ａの給水吐出口１０ｇから給湯器３の給水受け口３ｄまでは、給水配管１０ｄで連結し、給水配管１０ｄは分岐して、流し台４の給水栓４ｂに連結し、給湯器３の温水吐出口３ｅから流し台４の給湯栓４ａと洗面台５の給湯栓５ａまでは、温水配管３ａで連結し、流し台４と洗面台５から排水タンク９の排水受け口９ｂまでは、排水配管５ｂで連結する。【００１２】  前記給水配管１ｄ、給水配管８ｃ、給水配管１０ｄと温水配管３ａと排���配管５ｂ及びこれらの配管に付設する全ての配管継手類は凍結防止用コイルヒータによって捲回される。【００１３】  次に、図３によって、配線の接続状況を説明する。図３では、配線を点線で示している。前記給湯栓と、前記排水栓と、前記水抜き栓と、前記ガス栓と、は栓の作動に連動する電気回路スイッチを有し、それぞれ監視パネルの電気回路部１１ｂに接続される。【００１４】  図７は、監視パネル１１の正面図である。前記監視パネル１１は、パネル部１１ａと電気回路部１１ｂとよりなり、前記パネル部１１ａは、パネル表面に、給水タンクと排水タンクと揚水ポンプと給湯器と流し台と洗面台とガスボンベ室と配管よりなる図柄と青ランプ１１ｍとメインスイッチ１１ｃを有し、パネル裏面には前記図柄に対応し、裏面から照明可能の照明器具を有し、前記照明器具は、表示板照明用ライト１１ｎと給水タンクランプ１１ｅと排水タンクランプ１１ｄと揚水ポンプランプ１１ｆと給湯器ランプ１１ｊと流し台ランプ１１ｈと洗面台ランプ１１ｉとガスボンベ室ランプ１１ｋとパネルヒータランプ１１ｐとパネルヒータランプ１１ｑと５個の配管ヒータランプ１１ｒとよりなる。【００１５】  前記凍結防止用パネルヒータ７ａ、１０ｂ及び前記凍結防止用コイルヒータの各々は、サーモスタットと過電流制限器とメインスイッチ１１ｃとを有する監視パネルの電気回路部１１ｂに接続され、前記電気回路部１１ｂは電源コンセント１ｂを通じて外部電源に接続される。前記凍結防止用パネルヒータ７ａ、１０ｂは、市販のものを使用する。寒冷期間中、車輌が基地に係留している夜間は、外部電源に接続され、ヒータは適温に暖められる。【００１６】  水抜き手順は、次の通りである。排水タンクの排水栓９ａを開き、給水タンクの水抜き栓８ａを開き、揚水ポンプの水抜き栓１０ｅを開いた後閉じ、流し台４の給水栓４ａ及び給水栓４ｂと、洗面台５の給湯栓５ａと、を開き、給湯器の水抜き栓を開き、ガス栓６ａを閉じる。【００１７】  前記電気回路部１１ｂは、前記手順に従って操作したときに、前記図柄に対応する照明器具が順次点灯し、水抜き作業を完了しガス栓を閉にしたとき、パネル上の青ランプが点灯する機能を有する。【００１８】  図７と図８によって、前記電気回路部１１ｂの作用を詳説する。図７は、監視パネル正面図であり、図８は、前記電気回路部１１ｂの回路図である。車体１に外部電源が接続され、メインスイッチ１１ｃがＯＮの状態で、監視パネル１１の表示板照明用ライト１１ｎが点灯し、監視可能の状態になることを示す。【００１９】  排水タンク９の排水栓９ａを開にすると、スイッチＳＷ９が閉じ、排水タンクランプ１１ｄが点灯し、給水タンク８の水抜き栓８ａを開にすると、スイッチＳＷ８が閉じ、給水タンクランプ１１ｅが点灯し、揚水ポンプ１０ａの水抜き栓１０ｅを開にすると、スイッチＳＷ１０が閉じ、揚水ポンプランプ１１ｆが点灯し、同時に揚水ポンプ１０ａとホールドリレー１１ｇとが作動し、このホールドリレー１１ｇの作動によって、スイッチＳＷ１１が閉じ、水抜き栓１０ｅを閉にしたとき、スイッチＳＷ１０は開き、揚水ポンプランプ１１ｆは消灯し、揚水ポンプ１０ａは作動を停止するが、スイッチＳＷ１１は閉じられたままの状��にホールドされるので、スイッチＳＷ１０が開いても、次の監視工程に移行できる。揚水ポンプ１０ａの水抜き栓１０ｅを開にし、水抜き完了後に水抜き栓１０ｅを閉にする操作によって、揚水ポンプ１０ａ内の水抜きを実行するが、水抜き栓１０ｅを閉にすると、通常なら、スイッチＳＷ１０は開いて次の監視工程に移行できない。これを防ぐために、スイッチＳＷ１１を挿入し、スイッチＳＷ１０が開いても、次の監視工程に移行できるようにした。即ち、流し台４の給湯栓４ａを開にすると、スイッチＳＷ４が閉じ、更に給水栓４ｂを開にすると、スイッチＳＷ５が閉じ、流し台ランプ１１ｈが点灯し、洗面台５の給湯栓５ａを開にすると、スイッチＳＷ６が閉じ、洗面台ランプ１１ｉが点灯し、給湯器３の水抜き栓３ｂを開にすると、スイッチＳＷ３が閉じ、給湯器ランプ１１ｊが点灯し、ガス栓６ｂを閉にすると、スイッチＳＷ７が閉じ、ガスボンベ室ランプ１１ｋと青ランプ１１ｍが点灯する。【００２０】  寒冷期間中、特に、夜間は、全ての水を抜いておかなければならない。凍結防止のためには、水抜き作業は欠かせない。しかも、その作業は、誤りなく行う必要がある。前記の監視パネルの役割は、水抜き作業を監視するためのものである。図８が示すように、ＳＷ９とＳＷ８とＳＷ１１とＳＷ３とＳＷ７は直列に作動するようになっているので、順次に水抜き操作すれば操作の最後に青ランプ１１ｍが点灯するが、操作手順を誤れば、青ランプ１１ｍは点灯しない。青ランプの点灯を確認すれば、全ての操作が正常に実施された証となり、水抜きを確実に実行するという当初の課題を達成する。全ての作業が終了して、外部電源接続が解かれるとホールドリレー１１ｇはホールドが解除される。【００２１】  図４は、準備作業工程図である。車輌がサービス地に出発する前の準備作業を示す。ステップＳ１０１で、全ての給水栓、排水栓が閉の状態を確認する。ステップＳ１０２で、外部給水設備から給水口１ｃにホースを接続する。ステップＳ１０３で、給水開始しステップＳ１０４で、水量ゲージで水量を確認し、ステップＳ１０５で、給水タンクに一杯になったときに給水を停止し、ステップＳ１０６で、外部電源を電源コンセント１ｂに接続し、メインスイッチ１１ｃをＯＮにして、ステップＳ１０７で、消毒器２１、タオル蒸し器２２の専属スイッチをＯＮにし、ステップＳ１０８で、凍結防止用パネルヒータ７ａ、１０ｂへの電源を投入すると、監視パネル１１上のパネルヒータランプ１１ｐ、１１ｑが点灯するので、これを確認し、ステップＳ１０９で、凍結防止用コイルヒータへの電源を投入すると、監視パネル１１上の配管ヒータランプ１１ｒが点灯するので、これを確認し、ステップＳ１１０で、ポンプ１０ａの作動を確認し、ステップＳ１１１で、ガス栓６ｂを開き、ステップＳ１１２で、給湯器３の点火栓３ｃによって点火状態にし、ステップＳ１１３で、流し台４の給湯栓４ａによって給湯状態を確認し、ステップＳ１１４で、洗面台５の給湯栓５ａによって給湯状態を確認し、ステップＳ１１５で、排水タンク９の排水栓９ａを開き、排水状態を確認したのち、排水栓９ａを閉め、ステップＳ１１６で、給湯器３の点火栓３ｃ及びガス栓６ｂを閉め、ステップＳ１１７で、メイ���スイッチ１１ｃをＯＦＦにしたのち、電源コンセント１ｂから外部電源を外す。必要があれば、給水タンクに水を補給しておく。【００２２】  図５は、現地作業工程図である。車輌が理容業務を行う現地において準備し、実作業終了後の作業を示す。ステップＳ２０１で、車輌を現地に移動したうえ、車止めを行い、ステップＳ２０２で、外部電源を接続し、メインスイッチ１１ｃをＯＮにし、必要に応じて凍結防止用パネルヒータ７ａ、１０ｂの電源を投入し、監視パネル１１上のパネルヒータランプ１１ｐ、１１ｑの点灯を確認し、凍結防止用コイルヒータへの電源を投入し、監視パネル１１上の配管ヒータランプ１１ｒの点灯を確認し、ポンプ１０ａの作動を確認し、ステップＳ２０３で、ガス栓６ｂを開き、ステップＳ２０４で、給湯器の点火栓３ｃで点火しステップＳ２０５で、流し台４の給湯栓４ａで給湯状況を確認し、ステップＳ２０６で、洗面台５の給湯栓５ａで給湯状況を確認し、ステップＳ２０７で、消毒器２１の専属スイッチをＯＮにし、ステップＳ２０８で、タオル蒸し器２２の専属スイッチをＯＮにし、ステップＳ２０９で、理容用椅子２の專属スイッチをＯＮにし、ステップＳ２１０で、理容用椅子２の作動状況をチェックし、ステップＳ２１１で、理容業務に付帯する準備作業をチェックし、ステップＳ２１２で、エンジンを停止し来客をまつ。ステップＳ２１３は、理容の実作業のステップであり、ステップＳ２１４で、実作業終了時ガス栓を閉めステップＳ２１５で、各機器の電源を切断して現地における作業を終了する。【００２３】  図６は、後作業工程図である。車輌が係留基地に帰還した後の作業を示す。ステップＳ３０１で、外部電源を接続し、メインスイッチ１１ｃをＯＮにし、ステップＳ３０２で、排水タンク９の排水口に外部の汚水処理装置にホースをつなぎ、排水栓９ａを開き、ステップＳ３０３で、給水タンク８の水抜き栓８ａを開き、ステップＳ３０４で、ポンプ室１０の水抜き栓１０ｅを開き、ステップＳ３０５は、ポンプ１０ａを作動させポンプからの水抜き作業を行った後、ステップＳ３０６で、ポンプ室１０の水抜き栓１０ｅを閉め、ステップＳ３０７で、流し台４の給水栓４ａを開き、配管内の水抜きを行い、ステップＳ３０８で、洗面台５の給水栓５ａを開き、配管内の水抜きを行い、ステップＳ３０９で、給湯器３の水抜き栓３ｂを開き、給湯器内の水抜きを行い、ステップＳ３１０で、ガス栓を閉じる。ステップＳ３１１で、寒冷時期においては、夜間凍結を防ぐために、車体室内を、ストーブで保温し、凍結防止用パネルヒータ７ａ、１０ｂ、凍結防止用コイルヒータに電源を投入した状態にしておくこともある。ステップＳ３０２からＳ３１０までのステップの状況は、図７による監視パネルで確認でき、図８による回路図によって前記状況をモニターしている。【００２４】  水抜き手順の最後に、ガス栓６ａを閉めることにより、監視パネル１１上の青ランプ１１ｍが点灯するようになっているので、青ランプ１１ｍを視認すれば、ガス栓６ａも閉じていることになり、ガス栓６ａを閉め忘れることもなく、安全性も向上する。【００２５】  凍結防止用パネルヒータ７ａ、１０ｂが作動している間は、監視パネル１１上のヒータランプ１１ｐ��１１ｑが点灯しているので、ヒータ電源のつけ忘れを防ぐことが出来、経済的であり、かつ安全である。
【発明の効果】
【００２６】  凍結防止用パネルヒータ、凍結防止用コイルヒータ、断熱材の使用によって、凍結防止策を施してあるので、寒冷地においても凍結しない。監視パネルによって水抜き操作状況を監視しているので、凍結の防止が出来る。また、監視パネルによって、ガス栓の状況とヒータの電源投入状況を監視しているので、安全であり、経済的である。さらには、監視パネルは手順を監視するだけでなく、手順を誤れば、監視システムは中断するので、安全に水抜き作業が行える。従って寒冷地においても凍結しない。
【図面の簡単な説明】
【図１】  車体内における理容業務に必要な器材の配置を示す平面説明図
【図２】  車体内における理容業務用の主要設備の配置を示す断面説明図
【図３】  配管配線説明図
【図４】  準備作業工程図
【図５】  現地作業工程図
【図６】  後作業工程図
【図７】  監視パネル正面図
【図８】  電気回路図
【符号の説明】
１  車体
１ａ  床
１ｂ  電源コンセント
１ｃ  給水口
１ｄ  給水配管
２  理容用椅子
３  給湯器
３ａ  給湯管
３ｂ  水抜き栓
３ｃ  点火栓
３ｄ  給水受け口
３ｅ  温水吐出口
４  流し台
４ａ  給湯栓
４ｂ  給水栓
５  洗面台
５ａ  給湯栓
５ｂ  排水管
６  ガスボンベ室
６ａ  ガスボンベ
６ｂ  ガス栓
６ｃ  ガス管
７  給排水タンク室
７ａ  凍結防止用パネルヒータ
７ｂ  断熱材
８  給水タンク
８ａ  水抜き栓
８ｂ  水量ゲージ
８ｃ  給水配管
８ｄ  給水受け口
８ｅ  給水口
９  排水タンク
９ａ  排水栓
９ｂ  排水受け口
１０  ポンプ室
１０ａ  揚水ポンプ
１０ｂ  凍結防止用パネルヒータ
１０ｃ  断熱材
１０ｄ  給水配管
１０ｅ  水抜き栓
１０ｆ  給水受け口
１０ｇ  給水吐出口
１１  監視パネル
１１ａ  パネル部
１１ｂ  電気回路部
１１ｃ  メインスイッチ
１１ｄ  排水タンクランプ
１１ｅ  給水タンクランプ
１１ｆ  揚水ポンプランプ
１１ｇ  ホールドリレー
１１ｈ  流し台ランプ
１１ｉ  洗面台ランプ
１１ｊ  給湯器ランプ
１１ｋ  ガスボンベ室ランプ
１１ｍ  青ランプ
１１ｎ  表示板照明用ライト
１１ｐ  パネルヒータランプ
１１ｑ  パネルヒータランプ
１１ｒ  配管ヒータランプ
２１  消毒器
２２  タオル蒸し器
２３  化粧品ケース
２４  戸棚
２５  お客待ち室
２６  会計機
３１  運転席
３２  補助席
３３  出入り口
３４  非常口
３５  換気口
３６  消火器
４１  給水補助タンク
４２  発電機
４３  ガソリンタンク
【図１】
2005075325.tif 000003
【図２】
2005075325.tif 000004
【図３】
2005075325.tif 000005
【図４】
2005075325.tif 000006
【図５】
2005075325.tif 000007
【図６】
2005075325.tif 000008
【図７】
2005075325.tif 000009
【図８】
2005075325.tif 000010